(57)【要約】【課題】情報処理装置の一部の機能に対して、ある特定のユーザに対してその機能の電源を切断することにより、情報処理装置全体の消費電力を抑えることを目的とする。【解決手段】認証装置１１０のユーザ認証機能が機能している情報処理装置において、ユーザのエコスイッチ１０９の操作に応じて、個別にオンオフできる電源を持つ記録部（例えばＣＤドライブ１０６）の電源をオフし、ユーザの再度のスイッチの操作に応じて、認証装置１１０を用いて、正当なユーザと認証できた場合のみ、記録部１０６の電源をオンする。【選択図】図２
2006146650.tif 000002
【特許請求の範囲】
【請求項１】
記録媒体に情報を記録する記録部と、
コンピュータと、
前記記録部と前記コンピュータとに電源を供給する電源部と、
前記コンピュータを起動するための、ユーザが正当なユーザと認識できる認証装置または認証手段を有し、
前記記録部は光学原理或いは磁気原理のいずれか一方又は両方によってディスク状の記録媒体に情報を記録する記録部であり、
前記電源部は電池によって駆動される電源部であり、
前記電源部は前記記録部と前記コンピュータとに対する電源の供給を個別に制御する機能を有する、
情報処理装置であって、
前記認証装置または前記認証手段を用いて、ユーザが正当なユーザと認識できなかった場合には、前記記録部のみ個別に電源の供給をオフする、
情報処理装置。
【請求項２】
記録媒体に情報を記録する記録部と、
スイッチと、
コンピュータと、
前記記録部と前記コンピュータとに電源を供給する電源部と、
前記コンピュータを起動するための、ユーザが正当なユーザと認識できる認証装置または認証手段を有し、
前記記録部は光学原理或いは磁気原理のいずれか一方又は両方によってディスク状の記録媒体に情報を記録する記録部であり、
前記電源部は電池によって駆動される電源部であり、
前記電源部は前記記録部と前記コンピュータとに対する電源の供給を個別に制御する機能を有する、
情報処理装置であって、
前記スイッチの操作に応じて、前記記録部の電源をオフし、再度前記スイッチの操作に応じて、前記認証装置または前記認証手段を用いて、ユーザが正当なユーザと認識できた場合のみ、前記記録部の電源をオンする、
情報処理装置。
【請求項３】
記録媒体に情報を記録する記録部と、
スイッチと、
コンピュータと、
前記記録部と前記コンピュータとに電源を供給する電源部と、
前記コンピュータを起動するための、ユーザが正当なユーザと認識できる認証装置または認証手段を有し、
前記記録部は光学原理或いは磁気原理のいずれか一方又は両方によってディスク状の記録媒体に情報を記録する記録部であり、
前記電源部は電池によって駆動される電源部であり、
前記電源部は前記記録部と前記コンピュータとに対する電源の供給を個別に制御する機能を有する、
情報処理装置であって、
所定の期間継続して前記記録部に対するアクセスが行われない状態の時に、前記記録部の電源をオフし、前記スイッチの操作に応じて、前記認証装置または前記認証手段を用い、ユーザが正当なユーザと認識できた場合のみ、前記記録部の電源をオンする、
情報処理装置。
【請求項４】
脱着可能な記録媒体に情報を記録する記録部と、
コンピュータと、
前記記録部と前記コンピュータとに電源を供給する電源部と、
前記コンピュータを起動するための、ユーザが正当なユーザと認識できる認証装置または認証手段を有し、
前記記録部は光学原理或いは磁気原理のいずれか一方又は両方によってディスク状の記録媒体に情報を記録する記録部であり、
前記電源部は電池によって駆動される電源部であり、
前記記録部は個別の識別情報を有し、
前記電源部は前記記録部と前記コンピュータとに対する電源の供給を個別に制御する機能を有する、
情報処理装置であって、
許可されていない前記記録部が装着された場合、前記記録部のみ個別に電源の供給をオフする、
情報処理装置。
【請求項５】
記録媒体に情報を記録する記録部と、
コンピュータと、
前記記録部と前記コンピュータとに電源を供給する電源部と、
前記コンピュータを制御するためのソフトウエアであるオペレーティングシステムを有し、
前記コンピュータを起動するための、ユーザが正当なユーザと認識できる認証装置または認証手段を有し、
前記記録部は光学原理或いは磁気原理のいずれか一方又は両方によってディスク状の記録媒体に情報を記録する記録部であり、
前記電源部は電池によって駆動される電源部であり、
前記電源部は前記記録部と前記コンピュータとに対する電源の供給を個別に制御する機能を有する、
情報処理装置であって、
前記オペレーティングシステムがユーザに前記記録部の使用を許可していない場合には、前記記録部のみ個別に電源の供給をオフする、
情報処理装置。
【請求項６】
前記情報処理装置はノート型パソコン又は携帯情報端末又は携帯電話又は携帯型位置計測装置又は携帯型音楽再生装置又は携帯型映像再生装置又はこれらの機器の機能の一部又は全部の１つ又は複数を行う情報処理装置である、
請求項１から請求項５のいずれか１項に記載の情報処理装置。
【請求項７】
ユーザが正当なユーザかどうか認証するステップと、
記録部とコンピュータとに対する電源の供給を個別に制御するステップとを有する、
情報処理装置の省電力方法であって、
ユーザが正当なユーザと認識できた場合のみ、前記記録部の電源をオンするステップと、
ユーザが正当なユーザと認識できなかった場合には、前記記録部のみ個別に電源の供給をオフするステップとを有する、
情報処理装置の省電力方法。
【発明の詳細な説明】
【技術分野】
【０００１】
本発明はユーザを識別する認証機能を備えた情報処理装置及び省電力方法に関するものである。
【背景技術】
【０００２】
従来のセキュリティを高めながら省電力を行う手段としては、例えば、特許文献１にある携帯電話における認証方法があった。
【０００３】
この従来技術（従来技術１とする）は、外部との通信を行うための通信手段を有し、ユーザの虹彩情報を基に認証を行い、ユーザが正当なユーザであるときに通信手段が動作する携帯電話機において、ユーザの虹彩情報を撮影し、撮影された正当なユーザの虹彩情報を保存し、認証開始時に撮影したユーザの虹彩情報と保存されている正当なユーザの虹彩情報とを比較して認証を行う認証手段と、ユーザが認証を開始するための入力を行う認証開始入力手段と、認証開始入力手段への入力を検知すると起動し、認証手段のみに電源を供給する制御を行い、認証手段に認証を要求し、ユーザが正当なユーザであることを確認すると通信手段へ電源を供給する制御を行い、通信手段への電源が供給された後は、携帯電話機の操作毎の認証を省略する制御を行う制御手段とを備えることを特徴とするもので、ユーザが正当な使用者と認められ認証作業が終了するまでに、認証に不要な通信手段への電源を供給していないので、消費電力を低減することができる。また、通信手段への電源が供給された後は携帯電話機への操作毎の認証が不要なので、操作性が向上すると共に、操作毎の認証に費やす電力を無くすことができる。
【０００４】
また、情報処理装置の部分的省電力方法として、例えば、次に述べるような情報処理装置があった。
【０００５】
この従来技術（従来技術２とする）は、着脱可能な記録媒体に情報を記録する記録部と、利用者が操作可能なスイッチと、コンピュータと、記録部とコンピュータとに電源を供給する電源部と、コンピュータを制御するためのソフトウエアであるオペレーティングシステムとを有し、オペレーティングシステムの一部又は外部に記録部を制御するソフトウエアであるデバイスドライバを更に有し、電源部は記録部とコンピュータとに対する電源の供給を個別に制御する機能を有し、記録部に着脱可能な記録媒体が装着されていない状態の時に、スイッチの操作に対応して電源部は記録部に対する電源の供給だけをオンオフすると同時に、デバイスドライバは記録部の接続がないものとして登録する。この技術では、着脱可能な記録媒体に情報を記録する記録部においては、必ずしも常時使用するものではないため、不使用時には電源を供給しないことによって省電力を可能としている。
【特許文献１】特開２００３−１１０６９５号公報
【発明の開示】
【発明が解決しようとする課題】
【０００６】
従来技術１は、通常個人所有の携帯電話として考えられているので、認証に失敗すると、携帯電話の機能を失うものであるが、それが問題となることはない。しかしながら、パソコンなどの情報処理装置の場合は、複数人で共有することも考えられる。その時に、ある特定のユーザ以外に対して一部の機能のみ禁止するということができなかった。例えば、情報処理装置で、インターネット接続などの機能は誰にでも許可するが、光ディスクドライブなどの記録部の使用をある特定のユーザ以外に対して禁止したい場合、特定ユーザ以外は情報処理装置の記録部の使用が禁止されていても他の機能を使用できる方が好ましいが、従来技術１ではそうすることはできない。
【０００７】
また、従来技術２は、記録部の電源のみを完全に切ることができるため、省電力に使用されているが、この技術は、単に一部の機能を停止させるだけのものであり、特定のユーザ以外に対して禁止するというものではない。
【０００８】
本発明は、情報処理装置における光ディスクドライブなどの記録部の使用を特定のユーザに限定することで、簡単に、特定のユーザ以外に対して一部の機能のみ禁止し、かつ、情報処理装置全体の消費電力を低減することを実現できる情報処理装置を提供することを目的とする。
【課題を解決するための手段】
【０００９】
上記課題を解決するために、本発明の情報処理装置及び省電力方法は、以下のような手段から構成される。
【００１０】
本発明の請求項１に記載された発明は、記録媒体に情報を記録する記録部と、コンピュータと、前記記録部と前記コンピュータとに電源を供給する電源部と、前記コンピュータを起動するための、ユーザが正当なユーザと認識できる認証装置または認証手段を有し、前記記録部は光学原理或いは磁気原理のいずれか一方又は両方によってディスク状の記録媒体に情報を記録する記録部であり、前記電源部は電池によって駆動される電源部であり、前記電源部は前記記録部と前記コンピュータとに対する電源の供給を個別に制御する機能を有する情報処理装置であって、前記認証装置または認証手段を用いて、ユーザが正当なユーザと認識できなかった場合には、前記記録部のみ個別に電源の供給をオフする情報処理装置である。
【００１１】
本発明の請求項２に記載された発明は、記録媒体に情報を記録する記録部と、スイッチと、コンピュータと、前記記録部と前記コンピュータとに電源を供給する電源部と、前記コンピュータを起動するための、ユーザが正当なユーザと認識できる認証装置または認証手段を有し、前記記録部は光学原理或いは磁気原理のいずれか一方又は両方によってディスク状の記録媒体に情報を記録する記録部であり、前記電源部は電池によって駆動される電源部であり、前記電源部は前記記録部と前記コンピュータとに対する電源の供給を個別に制御する機能を有する情報処理装置であって、前記スイッチの操作に応じて、前記記録部の電源をオフし、再度前記スイッチの操作に応じて、前記認証装置または認証手段を用いて、ユーザが正当なユーザと認識できた場合のみ、前記記録部の電源をオンする情報処理装置である。
【００１２】
本発明の請求項３に記載された発明は、記録媒体に情報を記録する記録部と、スイッチと、コンピュータと、前記記録部と前記コンピュータとに電源を供給する電源部と、前記コンピュータを起動するための、ユーザが正当なユーザと認識できる認証装置または認証手段を有し、前記記録部は光学原理或いは磁気原理のいずれか一方又は両方によってディスク状の記録媒体に情報を記録する記録部であり、前記電源部は電池によって駆動される電源部であり、前記電源部は前記記録部と前記コンピュータとに対する電源の供給を個別に制御する機能を有する情報処理装置であって、所定の期間継続して前記記録部に対するアクセスが行われない状態の時に、前記記録部の電源をオフし、前記スイッチの操作に応じて、前記認証装置または認証手段を用い、ユーザが正当なユーザと認識できた場合のみ、前記記録部の電源をオンする情報処理装置である。
【００１３】
本発明の請求項４に記載された発明は、脱着可能な記録媒体に情報を記録する記録部と、コンピュータと、前記記録部と前記コンピュータとに電源を供給する電源部と、前記コンピュータを起動するための、ユーザが正当なユーザと認識できる認証装置または認証手段を有し、前記記録部は光学原理或いは磁気原理のいずれか一方又は両方によってディスク状の記録媒体に情報を記録する記録部であり、前記電源部は電池によって駆動される電源部であり、前記記録部は個別の識別情報を有し、前記電源部は前記記録部と前記コンピュータとに対する電源の供給を個別に制御する機能を有する情報処理装置であって、許可されていない前記記録部が装着された場合、前記記録部のみ個別に電源の供給をオフする情報処理装置である。
【００１４】
本発明の請求項５に記載された発明は、記録媒体に情報を記録する記録部と、コンピュータと、前記記録部と前記コンピュータとに電源を供給する電源部と、前記コンピュータを制御するためのソフトウエアであるオペレーティングシステムを有し、前記コンピュータを起動するための、ユーザが正当なユーザと認識できる認証装置または認証手段を有し、前記記録部は光学原理或いは磁気原理のいずれか一方又は両方によってディスク状の記録媒体に情報を記録する記録部であり、前記電源部は電池によって駆動される電源部であり、前記電源部は前記記録部と前記コンピュータとに対する電源の供給を個別に制御する機能を有する情報処理装置であって、前記オペレーティングシステムがユーザに前記記録部の使用を許可していない場合には、前記記録部のみ個別に電源の供給をオフする情報処理装置である。
【００１５】
本発明の請求項７に記載された発明は、ユーザが正当なユーザかどうか認証するステップと、記録部とコンピュータとに対する電源の供給を個別に制御するステップとを有する情報処理装置の省電力方法であって、ユーザが正当なユーザと認識できた場合のみ、前記記録部の電源をオンするステップと、ユーザが正当なユーザと認識できなかった場合には、前記記録部のみ個別に電源の供給をオフするステップとを有する情報処理装置の省電力方法である。
【発明の効果】
【００１６】
本発明の情報処理装置及び省電力方法は、上記構成を有し、認証装置などによる認証が失敗した場合、あるいは使用権限が与えられていない場合に、記録部自身の電源だけでなく、その記録部に対するアクセスのために使用される部分の電源をも遮断することによって、セキュリティのみならず、省電力性能をより一層向上させることができる。
【００１７】
又、オペレーティングシステムやデバイスドライバ等のソフトウエアも、認証が失敗した場合あるいは使用権限が与えられなかった場合には、この記録部の接続そのものがないものとして処理するため、不必要な電源投入時の設定処理等を行うことがなく、本体電源投入時の立ち上げ時間を短縮することができる。
【００１８】
更に、ユーザが予めスイッチなどの操作をすることにより、記録部と記録部に対するアクセスのために使用される部分の電源をも完全に遮断し、省電力化を測ると共に、再度電源を投入する際は、何らかの認証手段を用いて、記録媒体の使用を制限することができる。
【００１９】
更に又、ユーザが予めスイッチなどの操作をしなかったとしても、記録部に対して、一定時間アクセスが行われない時には、記録部と記録部に対するアクセスのために使用される部分の電源をも完全に遮断し、省電力化を測ると共に、再度電源を供給する場合は、何らかの認証手段を用いて、記録媒体の使用を制限することができる。
【００２０】
更に又、脱着可能な記録媒体の場合、記録媒体固有の識別番号（ＩＤ）などで、電源の供給を管理することにより、不正な記録媒体の使用を制限することができる。
【発明を実施するための最良の形態】
【００２１】
以下、本発明の実施の形態を、図面を参照しながら説明する。
【００２２】
（実施の形態１）
図１は本発明に係る情報処理装置の実施の形態１であるノート型パソコン１００の主要部の斜視図である。尚、この実施の形態では本発明に係る情報処理装置の一例としてノート型パソコン１００について説明するが、本発明に係る情報処理装置は必ずしもノート型パソコン１００に限るものではなく、例えばＰＤＡと呼ばれることもある携帯情報端末や、ＰＨＳを含む携帯電話や、例えばＧＰＳ原理に基づく携帯型位置計測装置や、デジタル化され且つ圧縮された或いはデジタル化されていない又は圧縮されていないこともある音楽を録音或いは再生する携帯型音楽再生装置や、デジタル化され且つ圧縮された或いはデジタル化されていない又は圧縮されていないこともある映像を録画或いは再生する携帯型映像再生装置や、これらの機器の機能の一部又は全部の１つ又は複数を行う情報処理装置や、その他各種の業務用或いは家庭用或いはこれらを兼ね備えた機器の一部又は全部であっても構わない。
【００２３】
このノート型パソコン１００は、着脱可能な記録媒体であるＣＤ記録メディア１０７に情報を記録する記録部としてＣＤドライブ１０６を有している。この実施の形態では記録部の一例として例えば、ＣＤドライブ１０６について説明するが、必ずしも本発明に係る記録部はＣＤドライブ１０６に限るものではなく、例えば記録媒体が着脱可能なＦＤ（フロッピー（登録商標）ディスク）や、ＭＯや、ＤＶＤのようなディスク形状の記録媒体に、磁気的原理或いは光学的原理或いは化学的原理或いは物理的原理或いはこれらの幾つかを組み合わせた原理によって情報を記録するものならば何でも構わないし、例えばＨＤＤ（ハードディスク・ドライブ）のように記録媒体が必ずしも着脱可能ではない記録媒体に同様の原理によって情報を記録するものであっても構わない。
【００２４】
ＣＤドライブ１０６は、ノート型パソコン１００の本体筐体１０１内に収納され、ＣＤドライブ開放スイッチ１０８の操作によって操作者の手前前方（図１の左下方）に本体筐体１０１内から擦出し、ＣＤ記録メディア１０７を着脱することができる。
【００２５】
ノート型パソコン１００は、このノート型パソコン自体の主要部、例えば表示部筐体１０４内に装着された表示パネル１０２や、本体筐体１０１に搭載されているキーボード１０３や、本体筐体１０１に内蔵されているメイン基板（図示せず）や、そのメイン基板に搭載されているマイコン（マイコン）（図示せず）を含む各種部品（図示せず）や、その他の各種部品が動作するための電源を供給する第一の電源部（図示せず）を内蔵している。
【００２６】
ノート型パソコン１００は、ＣＤドライブ１０６が動作するための電源を供給する第二の電源部２０６（図１には示さないが、図２には示す）をも有している。
【００２７】
上記２つの電源部は唯１つの第三の電源部（図示せず）が両者の機能を兼ね備えたものであっても構わないし、３つ以上の電源部を含んでいても構わない。しかし以下の説明では簡単のため上記第一の電源部と第二の電源部２０６を有しているものとして説明する。もしも両者を兼ね備えた第三の電源部を有している時にはそれぞれの部分を分け、仮想的な第一の電源部或いは仮想的な第二の電源部２０６と考えればよい。
【００２８】
但し、どのような形態であったとしても、これらの電源部は、ＣＤドライブ１０６が動作するための電源と、その他の各種部品が動作するための電源を、個別にオンオフする機能を有している。
【００２９】
或いは、より細かく区分して、それぞれの部品が動作するための電源を個別にオンオフする機能を有していても構わない。
【００３０】
更にこのノート型パソコン１００は、不揮発性の記憶部、例えばＨＤＤ（ハードディスク・ドライブ）記憶装置（図示せず）やフラッシュメモリ（図示せず）やＲＯＭ（リード・オンリー・メモリー）（図示せず）やその他と、揮発性の記憶部、例えばＤＲＡＭ（ダイナミック・ランダム・アクセス・メモリー）（図示せず）やＳＲＡＭ（スタティック・ランダム・アクセス・メモリー）（図示せず）やその他、を内蔵している。
【００３１】
更にこのノート型パソコン１００は、正しいユーザを判断するための認証装置１１０（指紋認証機器、ＩＤカードやその他）あるいはそれに替わる認証手段（パスワード入力を求める手段やその他）を有している。
【００３２】
ユーザが本体電源スイッチ１０５を操作することで、ノート型パソコン１００の電源がオンされると、ノート型パソコン１００の上記第一の電源部がオンされ、このノート型パソコン自体の主要部、例えば表示部筐体１０４内に装着された表示パネル１０２や、本体筐体１０１に搭載されているキーボード１０３や、本体筐体１０１に内蔵されているメイン基板（図示せず）や、そのメイン基板に搭載されているマイコン（マイコン）（図示せず）を含む各種部品（図示せず）や、その他の各種部品に、これらが動作するための電源を供給する。
【００３３】
マイコンは上記不揮発性の記憶部、例えばＲＯＭに記憶しているソフトウエアの起動によって、更に不揮発性の記憶部、例えばＨＤＤに記憶しているソフトウエアである例えばＯＳ（オペレーティング・システム）を読み出し、コンピュータとしての基本的な機能を実現する。
【００３４】
この時、ＯＳが起動されると、ＯＳはノート型パソコン１００が有している各種ハードウエアや各種ソフトウエアの全部或いは一部が正常であるかどうかのチェックを行い、正常であることが確認された時にコンピュータとしての基本的な機能を実現し、その一部又は全部が正常でないことを検出したときにはその旨を表示或いは何等かの方法によってユーザに知らせ、コンピュータとしての基本的な機能を実現しないこともある。
【００３５】
このノート型パソコン１００は更にエコスイッチ１０９を備えている。このエコスイッチ１０９は上記ＣＤドライブ１０６に電源を供給する第二の電源部２０６を、上記第一の電源部と個別にオンオフするものであり、利用者の操作によってオンオフされるものと、ソフトウエア２１０、例えばアプリケーション・プログラムやその他の各種ソフトウエアの制御によって、信号線２５０を介し、電子的にオンオフされるものとがある。
【００３６】
例えばこのＣＤドライブ１０６の電源の状態が、エコスイッチ１０９により電源がオフされている、或いはオフされたとする。
【００３７】
これによって図３に示すＣＤドライブ１０６のパワーオフ・シーケンスが開始される（Ｓ３０１）。
【００３８】
このＣＤドライブ１０６のパワーオフ・シーケンスに関係するノート型パソコン１００の主要部の回路図を図２に示し、このＣＤドライブ１０６のパワーオフ・シーケンスの主要な手続きの流れを図３に示す。
【００３９】
そしてこの図２と図３を参照して、ＣＤドライブ１０６のパワーオフ・シーケンスの主な処理の流れを説明する。
【００４０】
まず最初に、このようにエコスイッチ１０９がオフされていた、或いはオフされたとする（Ｓ３０２）と、このエコスイッチ１０９のオフ状態を示す情報がエコスイッチ１０９からマイコン２０１へ、図２の信号線２５１を経由して通知される（Ｓ３０３）。
【００４１】
尚、このエコスイッチ１０９は、例えばソフトウェア２１０に含まれるアプリケーションで実現されても構わないし、本体電源スイッチ１０５がエコスイッチ１０９の機能を兼ねても構わない。
【００４２】
エコスイッチ１０９のオフ状態の通知を受けたマイコン２０１は、そのことを信号線２５２を経由してソフトウエア２１０の一部であるＢＩＯＳ２０８に通知する（Ｓ３０４）。
【００４３】
尚、このソフトウエアは上記コンピュータとしての基本的な機能を実現するための、不揮発性の記憶部に記憶しているソフトウエアや、このソフトウエアの起動によって読み出される不揮発性の記憶部に記憶しているソフトウエアである例えばＯＳや、各種アプリケーション・プログラムや、その他の各種プログラムを含むものである。
【００４４】
又、図２では、このソフトウエアの中にＯＳ２０７とＢＩＯＳ２０８とが個別に独立して存在するように表現しているが、必ずしもＯＳ２０７とＢＩＯＳ２０８とがこのように個別に独立して存在しなければならないのではなく、例えばＢＩＯＳ２０８はＯＳ２０７の一部であっても構わないし、その逆であっても構わないし、ＯＳ２０７とＢＩＯＳ２０８とが渾然一体として存在しても構わない。
【００４５】
このエコスイッチ１０９のオフ状態の通知を受けたＢＩＯＳ２０８は、ユーザを識別し認証する認証装置１１０に対し、認証機能が働いているかの通知を出す（Ｓ３０５）。
【００４６】
尚、この通知は必ずしも行われない実施の形態でも構わない。
【００４７】
また、この認証装置は、アプリケーション及びＯＳ２０７及びＢＩＯＳ２０８で実現される認証手段であっても構わない。
【００４８】
もしも、認証機能が働かない場合（Ｓ３０６でＮＯ）、そのまま何も行わずにこのＣＤドライブ１０６のパワーオフ・シーケンスは終了する（Ｓ３０７）。
【００４９】
もしも、認証機能が働いている場合（Ｓ３０６でＹＥＳ）、認証装置稼動確認の通知を受けたＢＩＯＳ２０８は、Ｉ／Ｏコントローラ２０２を介して、ＣＤドライブ１０６のその時点における電源オンオフ状態を確認する（Ｓ３０８）。
【００５０】
何等かの実施の形態によっては、この時点におけるＣＤドライブ１０６の電源オンオフ状態がオンであったとしても構わない。
【００５１】
もしも、この時点におけるＣＤドライブ１０６の電源オンオフ状態がオフであったならば（Ｓ３０９でＯＦＦ）、そのまま何も行わずにこのＣＤドライブ１０６のパワーオフ・シーケンスは終了する（Ｓ３０７）。
【００５２】
もしもこの時点におけるＣＤドライブ１０６の電源オンオフ状態がオンであったならば（Ｓ３０９でＯＮ）、ＢＩＯＳ２０８はＯＳ２０７に対して、ＣＤドライブ１０６の電源が安全に切断可能であるか否かを問い合わせる（Ｓ３１０）。
【００５３】
そしてＯＳ２０７からの返答がもしも、「ＣＤドライブ１０６の電源は安全に切断することができない」であったならば（Ｓ３１１でＮｏ）、このまま何も行わずにこのＣＤドライブ１０６のパワーオフ・シーケンスは終了する（Ｓ３０７）。
【００５４】
ＯＳ２０７からの返答がもしも「ＣＤドライブ１０６の電源は安全に切断することができる」であったならば（Ｓ３１１でＹｅｓ）、ＢＩＯＳ２０８は、信号線２５２と信号線２５３とを経由してマイコン２０１からＩ／Ｏコントローラ２０２に指示を行い、ＣＤＩＲＱＯＮ信号２５５を非アクティブ（Ｈｉｇｈ）にすることによって、Ｉ／Ｏコントローラ２０２とＣＤドライブインターフェース２０５との間のＩＲＱ切断を行い、次にＣＤＲＳＴ信号２５６をアサート（Ｈｉｇｈ）にすることによって、ＣＤドライブ１０６を切断可能な状態にリセット（初期化）する。また、ＢＩＯＳ２０８は、Ｉ／Ｏコントローラ２０２内の所定のレジスタ２０３に予め定められた値を書き込むことによって、信号線２５４を経由して駆動回路２０４をオフし、Ｉ／Ｏコントローラ２０２とＣＤドライブインターフェース２０５との間の制御信号（ＳＤＤ）を切断する（Ｓ３１２）。
【００５５】
最後にＢＩＯＳ２０８は、信号線２５２と信号線２５３とを経由してマイコン２０１からＩ／Ｏコントローラ２０２に電源供給停止の指示を行い（Ｓ３１３）、この指示を受けたＩ／Ｏコントローラ２０２は、図２に示すＤｒｉｖｅＰｏｗｅｒＯＮ信号を非アクティブ（Ｈｉｇｈ）に設定することによって、第二の電源部２０６からＣＤドライブインターフェース２０５とＣＤドライブ１０６とに対する、電源の供給を停止する（Ｓ３１３）。
【００５６】
以上の処理が終わると、ＯＳ２０７がユーザに対して、ＣＤドライブ１０６は利用不能な状態になったことを通知するが、この通知は必ずしも行われない実施の形態でも構わない。
【００５７】
以上の一連の処理によって、このエコスイッチ１０９がオフされた、或いはオフされていた時の、ＣＤドライブ１０６のパワーオフ・シーケンスが完了する（Ｓ３０７）。
【００５８】
次にこの逆、即ち、このエコスイッチ１０９がオンされた、或いはオンされていた時の、ＣＤドライブ１０６のパワーオン・シーケンス（Ｓ４０１）を、図２と図４を参照して説明する。
【００５９】
この間、認証機能が働いていると仮定する。
【００６０】
まず最初に、このようにエコスイッチ１０９がオンされていた、或いはオンされたとする（Ｓ４０２）と、このエコスイッチ１０９のオン状態を示す情報がエコスイッチ１０９からマイコン２０１へ、図２の信号線２５１を経由して通知される（Ｓ４０３）。
【００６１】
エコスイッチ１０９のオン状態の通知を受けたマイコン２０１は、そのことを信号線２５２を経由してソフトウエア２１０の一部であるＢＩＯＳ２０８に通知する（Ｓ４０４）。
【００６２】
このエコスイッチ１０９のオン状態の通知を受けたＢＩＯＳ２０８は、Ｉ／Ｏコントローラ２０２を介して、ＣＤドライブ１０６のその時点における電源オンオフ状態を確認する（Ｓ４０５）。
【００６３】
何等かの実施の形態によっては、この時点におけるＣＤドライブ１０６の電源オンオフ状態がオンであったとしても構わない。
【００６４】
もしも、この時点におけるＣＤドライブ１０６の電源オンオフ状態がオンであったならば（Ｓ４０６でＯＮ）、そのまま何も行わずにこのＣＤドライブ１０６のパワーオン・シーケンスは終了する（Ｓ４０７）。
【００６５】
もしもこの時点におけるＣＤドライブ１０６の電源オンオフ状態がオフであったならば（Ｓ４０６でＯＦＦ）、ＢＩＯＳ２０８は、ユーザを識別し認証する認証装置１１０に対し、認証処理を行うよう通知を出す（Ｓ４０８）。
【００６６】
認証装置１１０は、認証処理を開始し、結果を、ＢＩＯＳ２０８に返す（Ｓ４０９）。
【００６７】
認証の方法については、ある程度のセキュリティが保たれる方法であれば何であっても構わない。
【００６８】
もしも、認証に失敗した場合（Ｓ４１０でＮＯ）、そのまま何も行わずにこのＣＤドライブ１０６のパワーオン・シーケンスは終了する（Ｓ４０７）。
【００６９】
尚、終了するときに、警告などを表示して、ユーザに失敗を通知することは構わない。
【００７０】
もしも、認証に成功した場合（Ｓ４１０でＹＥＳ）、ＢＩＯＳ２０８は信号線２５２と信号線２５３とを経由して、マイコン２０１とＩ／Ｏコントローラ２０２とにＣＤドライブ１０６の電源をオンするよう、指示を行う。
【００７１】
この指示を受けたＩ／Ｏコントローラ２０２は、まず図２に示すＤｒｉｖｅＰｏｗｅｒＯＮ信号をアクティブ（Ｌｏｗ）に設定することによって、第二の電源部２０６からＣＤドライブインターフェース２０５とＣＤドライブ１０６とに対する、電源の供給を開始する（Ｓ４１１）。
【００７２】
次にＢＩＯＳ２０８は、Ｉ／Ｏコントローラ２０２内の所定のレジスタ２０３に予め定められた値を書き込むことによって、信号線２５４を経由して駆動回路２０４をオンし、Ｉ／Ｏコントローラ２０２とＣＤドライブインターフェース２０５との間の制御信号（ＳＤＤ）を接続する。さらに、ＣＤＩＲＱＯＮ信号２５５をアクティブ（Ｌｏｗ）にすることによって、Ｉ／Ｏコントローラ２０２とＣＤドライブインターフェース２０５との間のＩＲＱ接続を行い、ＣＤＲＳＴ信号２５６をネゲート（Ｌｏｗ）にすることによって、ＣＤドライブ１０６を使用可能な状態にリセット（初期化）する（Ｓ４１２）。
【００７３】
以上の処理が終わると、ＯＳ２０７がユーザに対して、ＣＤドライブ１０６は何時でも利用可能な状態になったことを通知する（Ｓ４１３）。
【００７４】
以上の一連の処理によって、このエコスイッチ１０９がオンされた、或いはオンされていた時の、ＣＤドライブ１０６のパワーオン・シーケンスが完了する（Ｓ４０７）。
【００７５】
（実施の形態２）
以上説明した本発明の実施の形態１では、実質的なＣＤドライブ１０６のパワーオン・シーケンス或いはＣＤドライブ１０６のパワーオフ・シーケンスを開始するか否かの判断（図３の３０９と図４の４０６）において、ＣＤドライブ１０６のその時点における電源オンオフ状態の確認を行った。
【００７６】
本発明の実施の形態２では、実質的なＣＤドライブ１０６のパワーオン・シーケンス或いはＣＤドライブ１０６のパワーオフ・シーケンスを開始するか否かの判断（図３の３０９と図４の４０６）において、この条件に加えてＣＤドライブ１０６に対して一定時間アクセスが行われていないことを確認し、このＣＤドライブ１０６に対して一定時間アクセスが行われていないという条件が満たされる時にのみ、実質的なＣＤドライブ１０６のパワーオフ・シーケンスを開始する。
【００７７】
これ以外については、本発明の実施の形態２は本発明の実施の形態１と実質的に同じであるから説明は省略する。
【００７８】
（実施の形態３）
以上説明した本発明の実施の形態１及び実施の形態２では、ＢＩＯＳ２０８は、ユーザを識別し認証する認証装置１１０に対し、認証処理を行うよう通知を出し（Ｓ４０８）、認証装置１１０は、認証処理を開始し、結果を、ＢＩＯＳ２０８に返した（Ｓ４０９）。
【００７９】
本発明の実施の形態３では、ＣＤドライブ１０６が固有のＩＤを持ち、かつ、着脱可能である場合に、ユーザがこのＣＤドライブ１０６を情報処理装置１００に装着した時、認証装置１１０は、ＣＤドライブ１０６がユーザの許可したＩＤを所有しているかを判断する。
【００８０】
もしも、許可されていないＣＤドライブ１０６が装着された時は、ＣＤドライブ１０６のパワーオフ・シーケンスを開始する。
【００８１】
もしも、許可されているＣＤドライブ１０６が装着された時は、ＣＤドライブ１０６のパワーオン・シーケンスを開始する。
【００８２】
これ以外については、本発明の実施の形態３は本発明の実施の形態１及び実施の形態２と実質的に同じであるから説明は省略する。
【産業上の利用可能性】
【００８３】
本発明の情報処理装置及び省電力方法は、上記構成を有し、認証装置などによる認証が失敗した場合、あるいは使用権限が与えられていない場合に、記録部自身の電源だけでなく、その記録部に対するアクセスのために使用される部分の電源をも遮断することによって、セキュリティのみならず、省電力性能をより一層向上させることができる。
【００８４】
又、オペレーティングシステムやデバイスドライバ等のソフトウエアも、認証が失敗した場合あるいは使用権限が与えられなかった場合には、この記録部の接続そのものがないものとして処理するため、不必要な電源投入時の設定処理等を行うことがなく、本体電源投入時の立ち上げ時間を短縮することができる。
【００８５】
更に、ユーザが予めスイッチなどの操作をすることにより、記録部と記録部に対するアクセスのために使用される部分の電源をも完全に遮断し、省電力化を測ると共に、再度電源を投入する際は、何らかの認証手段を用いて、記録媒体の使用を制限することができる。
【００８６】
更に又、ユーザが予めスイッチなどの操作をしなかったとしても、記録部に対して、一定時間アクセスが行われない時には、記録部と記録部に対するアクセスのために使用される部分の電源をも完全に遮断し、省電力化を測ると共に、再度電源を供給する場合は、何らかの認証手段を用いて、記録媒体の使用を制限することができる。
【００８７】
更に又、脱着可能な記録媒体の場合、記録媒体固有の識別番号（ＩＤ）などで、電源の供給を管理することにより、不正な記録媒体の使用を制限することができる。
【００８８】
本発明はユーザを識別する認証機能を備えた情報処理装置における部分的セキュリティ及び情報処理装置全体の省電力手段に関するものとして有用である。
【図面の簡単な説明】
【００８９】
【図１】本発明の実施の形態１であるノート型パソコン１００の主要部の斜視図
【図２】本発明の実施の形態１であるノート型パソコン１００の主要部の回路図
【図３】本発明の実施の形態１であるノート型パソコン１００のＣＤドライブ１０６のパワーオフ・シーケンスを示す図
【図４】本発明の実施の形態１であるノート型パソコン１００のＣＤドライブ１０６のパワーオン・シーケンスを示す図
【符号の説明】
【００９０】
１００  ノート型パソコン
１０１  本体筐体
１０２  表示パネル
１０３  キーボード
１０４  表示部筐体
１０５  本体電源スイッチ
１０６  ＣＤドライブ
１０７  ＣＤ記録メディア
１０８  ＣＤドライブ開放スイッチ
１０９  エコスイッチ
１１０  認証装置
２０１  マイコン
２０２  Ｉ／Ｏコントローラ
２０３  レジスタ
２０４  駆動回路
２０５  ＣＤドライブインターフェース
２０６  第二の電源部
２０７  ＯＳ
２０８  ＢＩＯＳ
２１０  ソフトウェア
【図１】
2006146650.tif 000003
【図２】
2006146650.tif 000004
【図３】
2006146650.tif 000005
【図４】
2006146650.tif 000006